(57)【要約】【課題】木を使用することで金属のようなアレルギーを起こしにくく、使用時における木の温もり感や木材独特の木目や色目による見た目のやすらぎ感等を確保しながら、外部からの衝撃や創傷による破損を防止できる十分な強度を有する指輪を提供する。【解決手段】指輪Ｒ１は、木製の内輪１と金属製の外輪２により形成され、内輪１を構成する木輪体１０、１１、１２は色目が異なっており、外輪２はステンレススチール製で、内周面２０は、内輪１の外周面１４に密着しており、密着部を接着剤で接着することにより内輪１と外輪２は一体化されている。【選択図】図１
2013158446.tif 000002
【特許請求の範囲】
【請求項１】
木製の内輪の外周面に内周面が密着するようにして外輪が一体に設けられており、当該外輪は木より強度の強い材料で作られており前記内輪を補強している、
指輪。
【請求項２】
木製の内輪の外側に金属製の外輪が積層されている、
指輪。
【請求項３】
内輪の膨張又は拡張によって前記内輪の外周面が外輪の内周面に密着し、前記内輪と前記外輪が一体化している、
請求項１又は２記載の指輪。
【請求項４】
木製の内輪が、木材を乾燥させることによる収縮時において形成されたものであり、外輪と組み合わせた後の吸湿による膨張又は拡張によって、前記内輪の外周面が前記外輪の内周面と密着し一体化している、
請求項１又は２記載の指輪。
【請求項５】
内輪の内面に、一方の開口側から他方の開口側に亘って、嵌めた指の表面との間の通気のための複数の溝又は凹凸を備えている、
請求項１、２、３又は４記載の指輪。
【発明の詳細な説明】
【技術分野】
【０００１】
本発明は、指輪に関するものである。更に詳しくは、皮膚に触れる部分に木を使用することで金属のようなアレルギーを起こしにくく、使用時における木の温もり感を確保しながら、外部からの衝撃や創傷による指輪の破損を防止できる十分な強度を有している指輪に関する。
【背景技術】
【０００２】
指に嵌める輪状の装飾品として指輪がある。指輪の多くは、金属、特に貴金属で作られている。しかし、人によっては、金属に対してアレルギーを持っている場合がある。金属アレルギーを起こしやすい金属としては、例えばニッケル、コバルト、クロム等があり、一方で、金・銀・白金やチタン等はアレルギーを起こしにくいといわれている。
【０００３】
アレルギーを起こしにくい金属を素材とした指輪としては、例えば特許文献１や特許文献２に記載されたものがある。更に、材料として金属を使用せず、金属アレルギーを起こすおそれが全くない指輪としては、木を材料とする指輪も提案されている。
【０００４】
木製の指輪は、装着時において、いわゆる木の温もりが感じられて使用感に優れ、木材独特の木目や色目によって見た目にもやすらぎを感じる等、優れた面が多く、非特許文献１のように、すでに広く販売されている。
【先行技術文献】
【特許文献】
【０００５】
【特許文献１】特開平０９−１２５２２３号公報
【特許文献２】実用新案登録第３０９７６６８号公報
【非特許文献】
【０００６】
【非特許文献１】木の指輪屋さん、インターネット<http://www.kinoyubiwa.com/>
【発明の概要】
【発明が解決しようとする課題】
【０００７】
しかしながら、木は金属に比べると柔らかくて傷つき易く、指輪として強度が十分とはいえないために、例えば指輪に強い力や衝撃が加わると、破損して輪が破断してしまうおそれがあった。
【０００８】
本発明者は、木の指輪の外側を強度の強い材料で作った輪で覆うようにすれば、使用時の木の温もり感を確保しながら、外部からの衝撃や創傷による指輪の破損を防止することが可能であり、更に外側を金属で作っても皮膚が金属に接触しないため金属アレルギーを起こすおそれもないことに着目し、本発明を完成するに至った。
【０００９】
（本発明の目的）
本発明は、皮膚に触れる部分に木を使用することで金属のようなアレルギーを起こしにくく、使用時における木の温もり感や木材独特の木目や色目による見た目のやすらぎ感等を確保しながら、外部からの衝撃や創傷による指輪の破損を防止できる十分な強度を有している指輪を提供することを目的とする。
【課題を解決するための手段】
【００１０】
上記課題を解決するために本発明が講じた手段は次のとおりである。
（１）本発明は、
木製の内輪の外周面に内周面が密着するようにして外輪が一体に設けられており、当該外輪は木より強度の強い材料で作られており前記内輪を補強している、
指輪である。
【００１１】
（２）本発明は、
木製の内輪の外側に金属製の外輪が積層されている、
指輪である。
【００１２】
（３）本発明は、
内輪の膨張又は拡張によって前記内輪の外周面が外輪の内周面に密着し、前記内輪と前記外輪が一体化している、
前記（１）又は（２）の指輪である。
【００１３】
（４）本発明は、
木製の内輪が、木材を乾燥させることによる収縮時において形成されたものであり、外輪と組み合わせた後の吸湿による膨張又は拡張によって、前記内輪の外周面が前記外輪の内周面と密着し一体化している、
前記（１）又は（２）の指輪である。
【００１４】
（５）本発明は、
内輪の内面に、一方の開口側から他方の開口側に亘って、嵌めた指の表面との間の通気のための複数の溝又は凹凸を備えている、
前記（１）、（２）、（３）又は（４）の指輪である。
【００１５】
内輪に使用する木材は特に限定しない。例えば柔らかい肌触りを求めるのであれば、比重が小さく柔らかい木材であるバルサ、杉、桐等を用いる。また、耐久性を求めるのであれば、比重が大きく堅い木材であるリグナムバイター、グラナディア、黒檀等を用いる。更には、色が異なる各種木材を組み合わせて用いることで、内輪の配色や色味を自由に設定できる。
【００１６】
内輪は無垢で作ることもできるし、積層や組み合わせによって作ることもできる。積層や組み合わせで作る場合は、厚み方向に積層させる他、放射状やモザイク状等、様々な組み方ができる。更には、例えば内周面に溝又は凹凸をつける等、様々な加飾ができる。なお、溝又は凹凸の方向は指の長手方向に対して平行でも良いし、交差する角度で設けても良い。
【００１７】
外輪に使用する材料は、例えば鉄、ステンレススチール、アルミニウム、真鍮、チタン、金、銀、プラチナ、マグネシウム、タングステン等の金属であるが、木製である内輪を補強することができれば、金属に限定されない。例えばセラミックス、合成樹脂、動物の牙や角、骨、鼈甲等を好適に使用できる。
【００１８】
（作用）
本発明に係る指輪の作用を説明する。
本発明に係る指輪は、木製の内輪の外側に金属製の外輪を積層する等、木製の内輪の外周面に内周面が密着するようにして外輪が一体に設けられているので、皮膚に触れる部分に木を使用することで金属のようなアレルギーを起こしにくく、使用時における木の温もり感や木材独特の木目や色目による見た目のやすらぎ感等を確保することができる。
【００１９】
また、外輪は金属等、木より強度の強い材料で作られており、これにより内輪を補強し、或いは盾ともなるので、指輪は外部からの衝撃や創傷による破損を防止できる十分な強度を有している。
【００２０】
また、木製の内輪が、木材を乾燥させることによる収縮時において形成されたものであり、外輪と組み合わせた後の吸湿による膨張又は拡張によって、内輪の外周面が外輪の内周面と密着し一体化しているものは、指に装着したときに、指からの発汗作用によって木の乾燥が防止され、また、指から発散する体温による熱で膨張し又は収縮が防止され、これらの作用が相俟って、指輪の装着時における木製の内輪と金属等で作られた外輪の密着性が確保され、内輪から外輪が脱落するのを防止できる。
【発明の効果】
【００２１】
（ａ）本発明は、木製の内輪の外側に金属製の外輪を積層する等、木製の内輪の外周面に内周面が密着するようにして外輪が一体に設けられているので、皮膚に触れる部分に木を使用することで金属のようなアレルギーを起こしにくく、使用時における木の温もり感や木材独特の木目や色目による見た目のやすらぎ感等を確保した指輪を提供できる。
また、外輪は金属等、木より強度の強い材料で作られており、これにより内輪を補強し、或いは盾ともなるので、外部からの衝撃や創傷による破損を防止できる十分な強度を有する指輪を提供できる。
【００２２】
（ｂ）木製の内輪が、木材を乾燥させることによる収縮時において形成されたものであり、外輪と組み合わせた後の吸湿による膨張又は拡張によって、内輪の外周面が外輪の内周面と密着し一体化しているものは、指に装着したときに、指からの発汗作用によって木の乾燥が防止され、また、指から発散する体温による熱で膨張し又は収縮が防止され、これらの作用が相俟って、指輪の装着時における木製の内輪と金属等で作られた外輪の密着性が確保され、内輪から外輪が脱落するのを防止した指輪を提供できる。
【図面の簡単な説明】
【００２３】
【図１】本発明に係る指輪の第１の実施形態を示す斜視図。
【図２】図１の指輪を直径方向に断面した説明図。
【図３】図１に示す指輪の分解斜視図。
【図４】本発明に係る指輪の第２の実施形態を示す斜視図。
【図５】本発明に係る指輪の第３の実施形態を示す斜視図。
【図６】本発明に係る指輪の第４の実施形態を示す斜視図。
【図７】本発明に係る指輪の第５の実施形態を示す斜視図。
【発明を実施するための形態】
【００２４】
〔実施の形態〕
【００２５】
本発明を図面に示した実施の形態に基づき詳細に説明する。
図１乃至図３を参照する。
【００２６】
指輪Ｒ１は、木製の内輪１と金属製の外輪２により形成されている。
内輪１は、同じ直径で同じ厚さの三本の木輪体１０、１１、１２を幅方向に接着して一体化した構造であり、真ん中の木輪体１１は木斛（モッコク）材で形成されている。また、両側の木輪体１０、１２のうち一方側の木輪体１０は黒檀材で形成され、他方の木輪体１２はパープルハート材で形成されている。
【００２７】
前記木斛材で形成された木輪体１１は白味がかり、前記黒檀材で形成された木輪体１０は黒色で、前記パープルハート材で形成された木輪体１２は紫色である。このように、各木輪体１０、１１、１２は色目が異なっており、内周面１３にストライプが表れることと相まって、外観の意匠性（デザイン性）も高い。
【００２８】
また、外輪２は、ステンレススチール(SUS304)製で、前記内輪１の幅と同じ幅を有しており、厚さも内輪１とほぼ同じ厚さに形成されている。外輪２の内周面２０は、内輪１の外周面１４に密着しており、密着部を接着剤で接着することにより内輪１と外輪２は一体化されている。
【００２９】
なお、指輪Ｒ１を製造する手順（過程）は次の通りである。
（１）材料となる木斛、黒檀、パープルハートの各木材を乾燥機を使用する等して乾燥させる。各木材を例えば含水率８％程度まで乾燥させ、このやや収縮した状態の乾燥木材料を使用して木輪体１０、１１、１２を作り、更にこれらを接着剤で接着して内輪１を作る。
【００３０】
（２）金属材料を削り出す等して外輪２を作る。そして、前記乾燥木材料で作った内輪１の外周面に外輪２を嵌め込む。外輪２の内径は、内輪１の外周面１４にややきつく嵌る大きさに形成されている。なお、内輪１の外周面１４と外輪２の内周面２０の接面部には接着剤があらかじめ塗られている。
【００３１】
（３）このように内輪１と外輪２を組み合わせたものを通常環境下に置くと、当初乾燥していた内輪１が空気中の水分を吸収することにより体積が膨張する。これにより、内輪１の外周面１４が外輪２の内周面２０に強く密着し、接着剤による接着力とも相俟って、内輪１と外輪２は容易には分離できなくなり一体化する。
【００３２】
（作用）
指輪Ｒ１の作用は次の通りである。
指輪Ｒ１は、木製の内輪１の外側に金属製の外輪２を積層するようにして、内輪１と外輪２が一体化されている。この構造によれば、皮膚に触れる部分である内輪１に木を使用することで金属のようなアレルギーを起こしにくい。また、指輪Ｒ１の使用時における木の温もり感や木材独特の木目や色目による見た目のやすらぎ感等を確保することができる。
【００３３】
更に、内輪１と一体化している外輪２は木より強度の強い材料であるステンレススチールで作られており、これにより内輪１を補強することができる。また、外輪２は、内輪１の外側を覆う、いわば盾ともなるので、指輪Ｒ１は外部からの衝撃や創傷による破損を防止できる十分な強度を有している。
【００３４】
また、指輪Ｒ１は、木製の内輪１が、木材を乾燥させることによる収縮時において形成されたものであり、外輪２と組み合わせた後の吸湿による体積の膨張又は拡張によって、内輪１の外周面１４が外輪２の内周面２０と密着し一体化している。したがって、この内輪１の膨張した状態をそのまま維持できれば、内輪１と外輪２は容易には分離しない。
【００３５】
すなわち、指輪Ｒ１を指に装着したときには、指からの発汗作用によって水分が供給されて内輪１の木の乾燥が防止され、また、指から発散する体温による熱で膨張し又は収縮が防止される。そして、これらの作用が相俟って、指輪Ｒ１の木製の内輪１とステンレススチールで作られた外輪２の密着性が確保され、内輪１と外輪２が分離するのを防止できる。
【００３６】
図４を参照する。
指輪Ｒ２は、木製の内輪１ａと金属製の外輪２により形成されている。外輪２は、前記指輪Ｒ１の外輪２と同様の構造である。
前記内輪１ａは、異なる二種類の色味の違う木材で形成された部材１５、１５ａを周方向へ交互に複数配して輪状に形成した構造であり、前記指輪Ｒ１とは異なる特徴的な意匠的を呈している。
なお、指輪Ｒ２の作用については、前記指輪Ｒ１とほぼ同様であるので、説明を省略する。
【００３７】
図５を参照する。
指輪Ｒ３は、木製の内輪１ｂと金属製の外輪２により形成されている。外輪２は、前記指輪Ｒ１の外輪２と同様の構造である。
前記内輪１ｂは、異なる二種類の色味の違う木材で形成された部材１６、１６ａをモザイク状に組み木をして輪状に形成した構造であり、前記指輪Ｒ１や指輪Ｒ２とは異なる特徴的な意匠的を呈している。
なお、指輪Ｒ３の作用については、前記指輪Ｒ１とほぼ同様であるので、説明を省略する。
【００３８】
図６を参照する。
指輪Ｒ４は、木製の内輪１ｃと金属製の外輪２により形成されている。外輪２は、前記指輪Ｒ１の外輪２と同様の構造である。
前記内輪１ｃは、一種類の木材で形成されており、内周面に皮膚に接する接触部１７と通気のための溝１７ａが周方向へ交互に複数設けられている。各溝１７ａは、一方の開口側から他方の開口側に亘って設けられている。
【００３９】
これにより、指輪Ｒ４は、前記指輪Ｒ１、指輪Ｒ２、指輪Ｒ３とも異なる意匠を呈している。
なお、指輪Ｒ３は、前記指輪Ｒ１とほぼ同様の作用を有すると共に、内輪１ｃの各溝１７ａによって通気性が良好で、指に装着したときに指表面の水分を発散させやすく、使い心地に優れている。
【００４０】
図７を参照する。
指輪Ｒ５は、木製の内輪１ｄと金属製の外輪２により形成されている。外輪２は、前記指輪Ｒ１の外輪２と同様の構造である。
前記内輪１ｄは、一種類の木材で形成されており、内周面に皮膚に接する接触部１８と通気のための溝１８ａが周方向へ波形になるように複数設けられている。各溝１８ａは、一方の開口側から他方の開口側に亘って設けられている。
【００４１】
これにより、指輪Ｒ５は、前記指輪Ｒ１、指輪Ｒ２、指輪Ｒ３、指輪Ｒ４とも異なる意匠を呈している。
なお、指輪Ｒ４は、前記指輪Ｒ１とほぼ同様の作用を有すると共に、内輪１ｄの各溝１８ａによって通気性が良好で、指に装着したときに指表面の水分を発散させやすく、使い心地に優れている。
【００４２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４３】
Ｒ１  指輪
１  内輪
１０  木輪体
１１  木輪体
１２  木輪体
１３  内周面
１４  外周面
２  外輪
２０  内周面
Ｒ２  指輪
１ａ  内輪
１５、１５ａ  部材
Ｒ３  指輪
１ｂ  内輪
１６、１６ａ  部材
Ｒ４  指輪
１ｃ  内輪
１７  接触部
１７ａ  溝
Ｒ５  指輪
１ｄ  内輪
１８  接触部
１８ａ  溝
【図１】
2013158446.tif 000003
【図２】
2013158446.tif 000004
【図３】
2013158446.tif 000005
【図４】
2013158446.tif 000006
【図５】
2013158446.tif 000007
【図６】
2013158446.tif 000008
【図７】
2013158446.tif 000009